(57)【要約】【課題】接地している支持底部に対する被支持体の支持位置を調整可能な汎用性を持つスタンドを提供することを目的とする。【解決手段】被支持体の支持を行なうスタンド１２において、被支持体を下方より支持する支持部材３１と、接地しており支持部材３１を下方より支持する支持底部４１とを複数の位置関係で固定可能とする。支持底部４１に直線状に配列される複数の穴からなる位置決め穴を設け、位置決め穴の中の何れかの穴を用いて支持底部４１と支持部材３１とを係合する。位置決め穴のうちのどの穴を使用しても支持底部４１と支持部材３１は係合可能であるため、位置決め穴の存在する直線方向に関して支持底部４１と支持部材３１は複数の位置関係で固定することができる。被支持体の重心位置によって固定の位置関係を変えることで、重心の異なる被支持体に対応することが可能である。【選択図】図４
2010204393.tif 000002
【特許請求の範囲】
【請求項１】
被支持体を支持する支持部材と、
前記支持部材を下方より支持する支持底部と、
前記被支持体の重心位置を通り鉛直な直線と、前記重心位置と前記支持底部の所定の端部とを通る直線とのなす角、および前記被支持体の重心位置を通り鉛直な直線と、前記重心位置と前記支持底部の前記所定の端部と重心を挟んだ反対側の端部とを通る直線とのなす角がそれぞれ所定の角度以上となるように、前記支持部材と前記支持底部との位置関係を調整して固定可能な調整固定機構と
を有することを特徴とするスタンド。
【請求項２】
前記調整固定機構は、
前記支持部材と前記支持底部の少なくともどちらか一方がその他方と係合可能な複数の係合部を有しており、該係合部の何れかを用いてその他方との係合による固定を行なう機構である
ことを特徴とする請求項１記載のスタンド。
【請求項３】
前記支持底部が前記係合部を有しており、該係合部は前記支持底部の前記所定の端部と前記反対側の端部とを通る直線に平行な直線上に並んで設けられている
を特徴とする請求項２記載のスタンド。
【請求項４】
前記支持底部の接地部分以外を覆う、交換可能なベースカバーを
さらに有することを特徴とする請求項１乃至請求項３の何れか一項に記載のスタンド。
【請求項５】
前記支持底部の設置部分以外を覆うベースカバーと、
前記位置調整固定機構による、前記支持部材と前記支持底部と位置関係の調整に対応して、前記支持底部と前記ベースカバーの位置関係の調整可能なベースカバー位置調整機構を有することを特徴とする請求項１乃至請求項３の何れか一項に記載のスタンド。
【請求項６】
前記支持底部の設置部分以外を覆う、交換可能なベースカバーと、
前記位置調整固定機構による、前記支持部材と前記支持底部と位置関係の調整に対応して、前記支持底部と前記ベースカバーの位置関係の調整可能なベースカバー位置調整機構を有することを特徴とする請求項１乃至請求項３の何れか一項に記載のスタンド。
【発明の詳細な説明】
【技術分野】
【０００１】
本発明はスタンドに関するものであり、特に異なる重心位置を持つ被支持部に対応可能なスタンドに関する。
【背景技術】
【０００２】
近年、液晶ディスプレイやプラズマディスプレイなどの薄型ディスプレイの研究、開発が進み、そのディスプレイの大型化、薄型化された製品が開発されている。
【０００３】
しかし、ディスプレイの大型化や薄型化に伴って転倒の危険性も増大しており、転倒防止のための、ディスプレイの支持を行なうスタンドの構造に関する技術が重要なものとなってきている。
【０００４】
ディスプレイのスタンドに関する提案として、スタンドに安定脚を設けて転倒の防止を図る提案がなされており、さらに特許文献１には安定脚を使用しないときには容易にスタンド内に収納可能とすることで安定脚使用時には映像表示装置の安定を図り、不使用時には美観を損なうことの無い提案がなされている。
【先行技術文献】
【特許文献】
【０００５】
【特許文献１】特開２００４−５６７６８号公報
【発明の概要】
【発明が解決しようとする課題】
【０００６】
スタンドの構造は全体的なデザインや転倒防止効果を高めるため、スタンドが支持する被支持体の形状、構造が変わる毎にその形状、構造に対応するように製品毎にスタンドは新規に設計されている。しかし薄型ディスプレイのような一部の製品では、スタンドの形状、構造が大きく異なることは少なく、重心等のわずかな相違のために毎回新規に設計し直すことはコストアップにもつながりかねない。
【０００７】
本発明は上記問題に鑑みてなされたものであり、接地している支持底部に対する被支持体の支持位置を調整可能な汎用性を持つスタンドを提供することを目的とする。
【課題を解決するための手段】
【０００８】
本発明にかかるスタンドは、被支持体を支持する支持部材と、前記支持部材を下方より支持する支持底部と、前記被支持体の重心位置を通り鉛直な直線と、前記重心位置と前記支持底部の所定の端部とを通る直線とのなす角、および前記被支持体の重心位置を通り鉛直な直線と、前記重心位置と前記支持底部の前記所定の端部と重心を挟んだ反対側の端部とを通る直線とのなす角がそれぞれ所定の角度以上となるように、前記支持部材と前記支持底部との位置関係を調整して固定可能な調整固定機構とを有することを特徴としている。
【発明の効果】
【０００９】
本発明は被支持体の重心位置と接地部分との位置関係を調整可能とする機構を有することで、異なる重心を持つ被支持体を支持することの可能なスタンドを実現することができる。
【図面の簡単な説明】
【００１０】
【図１】本実施形態におけるディスプレイ装置の概観の一例を示す斜視図。
【図２】本実施形態におけるディスプレイ装置とその重心位置の例を示す側面図。
【図３】本実施形態におけるスタンドの概観の一例を示す斜視図。
【図４】本実施形態におけるスタンドの構造の一例を示す斜視図。
【図５】本実施形態における支持底部および支持部材底部の構造の一例を示す斜視図。
【図６】本実施形態における支持底部および支持部材底部の構造一例を側面から見た側面図。
【図７】本実施形態における支持底部および支持部材底部の構造の一例を上方から見た図。
【図８】本実施形態におけるディスプレイ装置とその重心位置の例を示す側面図。
【図９】本実施形態におけるベースカバーの形状の例を示す図。
【図１０】本実施形態における支持部材首部、支持部材底部、支持底部、およびベースカバーの構成の一例を側面から見た側面図
【発明を実施するための形態】
【００１１】
以下、本発明の実施の形態を図面を参照しながら説明する。
【００１２】
図１は本実施形態におけるディスプレイ装置１０の概観の一例を示す斜視図である。図１にはディスプレイ装置１０、表示装置１１、スタンド１２が示されている。
【００１３】
ディスプレイ装置１０は例えば液晶ディスプレイやプラズマディスプレイ等の薄型ディスプレイ装置であり、画像を表示する機能を有する。また、ディスプレイ装置１０で表示する映像情報は、映像生成部で生成されたものでも、外部から入力されたものでもよい。映像生成部とは例えば図形を描画するグラフィックボードや、映像コンテンツを再生するＤＶＤプレイヤー等が考えられる。ディスプレイ装置１０はスタンド１２に支持される被支持体である。
【００１４】
表示装置１１はディスプレイ装置１０における画像の表示を行なう画像表示部であり、ディスプレイ装置１０が出力する画像情報をディスプレイ装置１０前方に向け表示する。
【００１５】
スタンド１２は表示装置１１の下方に設けられ、表示装置１１を下部より鉛直に支持している。
【００１６】
図２は本実施形態におけるディスプレイ装置とその重心位置の例を示す側面図である。図２にはセットａ２１、セットｂ２２、表示装置２３、スタンド２４、重心位置ａ２５、表示装置２６、スタンド２７、重心位置ｂ２８が示されている。以下、ディスプレイ装置１０が表示を行なう先の方向（図２では左方向）を前方向、その逆の方向（図２では右方向）を後ろ方向としてとして説明する。
【００１７】
ここでセットａ２１の表示装置２３とセットｂ２２の表示装置２６は外部の形状は同じだが内部構造が異なっており、前後方向の重心位置が異なるものである。
【００１８】
セットａ２１は表示装置２３の重心位置ａ２５が、スタンド２４の前後方向に関して中心となる位置の鉛直上方向に存在する場合のディスプレイ装置のセットである。
【００１９】
またセットｂ２２は表示装置２６の重心位置ｂ２８がスタンド２７の前後方向に関して中心となる位置より前方の位置の鉛直上方向に存在する場合のディスプレイ装置のセットである。
【００２０】
セットａ２１に関して、重心位置ａ２５を通り鉛直下方向への直線と、重心位置ａ２５とスタンド２４の前端部とを通る直線との角度、または重視位置a２５とスタンド２４の後端部とを通る直線とのなす角度はそれぞれ１０°となっている。このようにディスプレイ装置の安定を図るために、前記角度は一定以上の角度であることが望ましく、該角度以下となってしまうと十分な安定を得られない。本実施形態においてディスプレイ装置の安定を図るために十分な角度として１０°と例示しているが、これはあくまで例示であってこれに限定されることは無い。通常はこのように、ディスプレイ装置の設計においてディスプレイ装置の重心位置とスタンドの接地部分との位置関係は非常に重要なものとなる。
【００２１】
セットｂ２２は後端部方向の角度は１０°以上となっているが、前端部方向の角度は１０°未満となっている。この場合前方への角度が１０°未満であるため、表示装置２６が前方へと倒れてしまいやすくなってしまう。
【００２２】
例えば表示装置内部の設計変更により、セットａ２１からセットｂ２２のように表示装置の重心位置が変わってしまった場合、従来は前記角度がそれぞれ１０°以上（設置面積が安定を得られる面積）となるようにスタンドを再度設計しなおしていた。
【００２３】
図３は本実施形態におけるスタンド１２の概観の一例を示す斜視図である。図３にはスタンド１２、支持部材３１、ネジ穴３２、ベースカバー３３が示されている。
【００２４】
支持部材３１は表示装置１１を下方より支持する部材である。また支持部材３１は表示装置１１とは上方の左右に設けられたネジ穴３２によってネジを介して接続される。
【００２５】
ベースカバー３３はスタンド１２において内部の表示装置１１の支持を行なう部材を覆い隠している。またベースカバー３３はスタンド１２内部の支持部材３１の首部分を覆い隠している。
【００２６】
図４は本実施形態におけるスタンド１２の構造の一例を示す斜視図である。図４にはスタンド１２、支持部材３１、ネジ穴３２、支持底部４１、表示装置支持部４２、支持部材首部４３、支持部材底部４４、ネジ穴４５ａ〜e、およびネジ穴４６ａ〜ｆが示されている。
【００２７】
スタンド１２は支持部材３１、支持底部４１、ベースカバー３３によって構成される。図４ではベースカバー３３は図示しない。
【００２８】
支持部材３１は表示装置支持部４２、支持部材首部４３、および支持部材底部４４から構成される。表示装置支持部４２は表示装置１１を支持しており、ネジ穴３２によって表示装置１１と接続されている。支持部材首部４３は表示装置支持部４２の下方に存在し、本実施形態では円柱型となっており、表示装置１１の全重量を支持している。支持部材底部４４は支持部材首部４３の下方に存在し、ネジ穴４５ａ〜eによって支持底部４１とネジを介して接続されている。図４にはネジ穴４５ａ〜eのみが示されており、図面では支持部材首部４３の陰となって見えていないが、本実施形態ではネジ穴４５は左右にそれぞれ３つずつ、係６個存在している。本実施形態では６個のネジ穴を例示するがこれに限定されることはない。
【００２９】
支持底部４１はスタンド１２の最も底部に設けられ、接地しておりディスプレイ装置１０全体を支持している。支持部材３１の支持部材底部４４のネジ穴４５に対応するネジ穴を有しており、ネジ止めによって支持部材底部４４と接続される。また支持底部４１にはネジ穴４６が設けられており、このネジ穴４６によってベースカバー３３とネジを介して接続される。ネジ穴４６は通常のネジ穴より前後に伸びた形状となっている。ネジ穴４６は図４においてネジ穴４６ａ〜ｆのみが示されているが、図面では支持部材３１の陰のとなる部分にも存在し、本実施形態ではネジ穴４６は支持底部の周部付近に係９個存在している。本実施形態では９個のネジ穴を例示するがこれに限定されることはなく、少なくともネジ止めによって支持底部４１とベースカバー３３が固定される個数であればよい。
【００３０】
図５は本実施形態における支持底部４１および支持部材底部４４の構造の一例を示す斜視図である。図５には支持底部４１、支持部材底部４４、位置決め穴５１、および回り止め穴５２、ネジ穴５３a〜ｆが示されている。
【００３１】
上述のように支持底部４１と支持部材底部４４とはネジによって接続される。本実施形態では支持底部４１のネジ穴５３と支持部材底部４４のネジ穴４５とのネジ止めを行なう。ネジ穴５３は支持部材底部４４のネジ穴４５と対応して、支持底部４１の左右に３つずつの計６つが設けられている。このネジ穴５３は通常のネジ穴よりも前後方向に伸びた形状となっている。そのままネジ固定を行なうと、ネジはネジ穴５３内で前後方向に移動可能となり、他の方向に関しては拘束される。
【００３２】
位置決め穴５１は本実施形態では支持底部４１の後方に図５のように前後方向に３つならんで設けられており、それぞれの穴同士の間隔は５ｍｍである。
【００３３】
回り止め穴５２は通常の丸穴より前後方向に伸びた形状となっている。
【００３４】
支持部材底部４４は底面に位置決め穴５１回り止め穴５２にそれぞれ係合するように円柱状の突起である係合凸部６１、６２が設けられている。支持部材底部の底面に設けられている係合凸部６１、６２の位置および形状は図６に示す。
【００３５】
支持部材底部４４のネジ穴４５は通常の形状のネジ穴が支持部材底部４４の前後にそれぞれ３つずつ計６つ設けられている。例えば支持部材底部４４に係合部が存在しないとして、支持底部４１のネジ穴５３と、支持部材底部４４のネジ穴５３に対応する位置のネジ穴４５とでネジによる接続を行ったとすると、支持部材底部４４と支持底部４１とはネジ穴５３の前後方向の幅分ずれることが可能である。しかし支持底部４１の位置決め穴５１と支持部材底部４４の係合部とを係合し、固定を行なうと前後方向に関しても支部部材底部４４と支持底部４１は固定され、ずれることはなくなる。位置決め穴５１は前後方向に３つ並んで設けられており、どの穴を使用しても支持部材底部４４の係合部との係合が可能であるため、位置決め穴５１何れか所望の穴を用いて係合を行なうことで支持部材底部４４と支持底部４１は固定の際に前後方向の所望の位置（位置決め穴５１の位置、間隔に依存する）関係で接続することが可能である。支持部材底部４４と支持底部４１は図５中での矢印方向に固定の際のある程度の位置的な自由度を持っており、支持部材底部４４に対して支持底部４１の前後方向への位置を調整することが可能である。
【００３６】
図６は本実施形態における支持底部４１および支持部材底部４４の構造の一例を側面から見た側面図である。図６には支持底部４１、支持部材底部４４、位置決め穴５１、回り止め穴５２、係合凸部６１、係合凸部６２が示されている。位置決め穴５１、回り止め穴５２はいずれも図示された角度からは視認できないが、説明のため支持底部４１を透過させて図示している。
【００３７】
係合凸部６１は支持部材底部４４の底面に下向きに円柱形状に設けられており、位置決め穴５１に挿入可能な大きさである。係合凸部６１は支持部材底部４４の底面と支持底部４１の上面とを接触させた際に位置決め穴５１と係合し、支持部材底部４４と支持底部４１との位置のずれを阻止する機能を有している。
【００３８】
係合凸部６２は支持部材底部４４の底面に下向きに円柱形状に設けられており、回り止め穴５２に挿入可能な大きさである。係合凸部６１は支持部材底部４４の底面と支持底部４１の上面とを接触させた際に回り止め穴５２と係合し、支持部材底部４４と支持底部４１との前後方向以外への位置のずれを阻止する機能を有している。回り止め穴５２および係合凸部６１を設けることで、位置決め穴５１と回り止め穴５２によって支持部材底部４４と支持底部４１の位置関係が固定されるため、ネジ止めが容易となる。
【００３９】
図７は本実施形態における支持底部４１および支持部材底部４４の構造の一例を上方から見た図である。図７は図５で示される支持底部４１および支持部材底部４４の構造を上方から見たものである。
【００４０】
本実施形態では位置決め穴５１は、穴同士の間隔は５ｍｍとし、図のように３つ設けるように例示しているがこれらの間隔、個数に限定されるものではない。
【００４１】
また本実施形態では穴５３を６つ、位置決め穴５１を一組、回り止め穴５２を１つ設けているがこれに位置決め穴５１は一組以上設ければ幾つ設けてもよいし、回り止めネジ穴５２も幾つ設けてもよい。また本実施形態では位置決め穴５１は支持底部４１の中心より後方に設けるよう例示しているがこれに限定されるものではない。
【００４２】
図８は本実施形態におけるディスプレイ装置とその重心位置の例を示す側面図である。図８では図２で示されるセットｂ２２において支持底部４１の前後方向への固定位置調整を行なった後のものが示されている。
【００４３】
セットｂ２２では重心が表示装置１１の前面へと寄っているため、図２では前面に倒れやすい不安定なセットであった。しかし本実施形態で示す支持底部４１の前方向への位置調整を行って固定すると図８のように支持底部４１の前後方向の中心位置を重心位置ｂ２８の下に移動させることができ、前後どちらの方向への角度も許容範囲内とすることができる。
【００４４】
このように本実施形態におけるスタンド１２は支持底部４１の位置を前後へと調整することで、同じ（若しくはそれ以下の）重心位置の高さを持つ表示装置に対応することが可能である。
【００４５】
また表示装置の高さがほぼ同様であるとき、表示装置の重心位置の高さはほぼ同様であるため、本実施形態におけるスタンド１２は、高さがほぼ同様である他の表示装置の多くに対応可能であると考えられる。
【００４６】
図９は本実施形態におけるベースカバー３３の形状の例を示す図である。図９にはスタンド１２およびベースカバー３３a〜dが示されている。
【００４７】
本実施形態では表示装置１１の支持は実質的に支持底部４１や支持部材３１が行なっており、ベースカバー３３はそれらを覆い隠すのみの役割であるため、バースカバー３３には形状的な拘束がほとんど無く、ベースカバーはベースカバー３３a〜dのように多様なデザインが可能となる。
【００４８】
図１０は本実施形態における支持部材首部４３、支持部材底部４４、支持底部４１、およびベースカバー３３の構成の一例を側面から見た側面図である。
【００４９】
図４、図５、および図７で示されるように支持底部４１にベースカバー３３を固定するためのネジ穴４６は通常のネジ穴より前後方向へと伸びた形状を有しており、固定を行なうネジは前後方向への移動が可能となっている。この構造を有することでベースカバー３３は、支持部材３１の支持底部４１に対する固定位置調整を行った場合も、支持部材底部４１に対して前後方向への移動が可能なため、対応可能である。さらにベースカバー３３は図１０で示すように支持底部４１よりも前後方向に長さLの余裕を持った形状となっている。この長さLは支持底部４１に対して支持部材底部４４が固定の位置調整可能な長さ（位置決め穴５１の一番前側の穴の中心の位置から一番後ろ側の穴の中心の位置までの距離）である。またネジ穴４６の前後方向に関する長さも長さL以上である。ベースカバー３３をこのように構成することによってベースカバー３３は支持底部４１に対する支持部材３１の固定位置の調整が行なわれたとしても支持底部４１に接触することなく、支持部材３１と支持底部４１との固定位置調整に対応可能となる。また、ベースカバー３３は支持部材首部４３によって前後方向へと固定がなされるため固定後、支持底部４１に対してずれることは無い。
【００５０】
また、本実施形態ではネジ穴４６の形状を特有のものとし、ベースカバー３３は支持底部４１に対して前後方向に長さの余裕を持たせることで、ベースカバー３３を位置調整への対応可能とするように例示したがこれに限定されるものではない。例えばネジ穴４６を通常のネジ穴形状とし、ネジ穴４６とネジによる接続を行なうベースカバー３３側のネジ穴（ボス）の形状を前後方向に伸ばした形状とすることも考えられる。また、ベースカバー３３の支持部材首部４３を覆う部分に関して、支持部材首部４３との前後方向に関する空間的な余裕を設けることによっても位置調整に対応可能となる。
【００５１】
本実施形態におけるスタンドは支持底部と表示装置とを前後方向の異なる位置関係で固定可能な機構を設けることで表示装置の重心位置が変わった場合、また重心位置の異なる表示装置に対して安定した支持を行なうことが可能となる。
【００５２】
なお、本発明は上記実施形態そのままに限定されるものではなく、実施段階ではその要旨を逸脱しない範囲で構成要素を変形して具現化できる。また、上記実施形態に開示されている複数の構成要素の適宜な組み合わせにより、種々の発明を形成できる。例えば、実施形態に示される全構成要素から幾つかの構成要素を削除してもよい。さらに異なる実施形態にわたる構成要素を適宜組み合わせてもよい。
【符号の説明】
【００５３】
１０：ディスプレイ装置
１１：表示装置
１２：スタンド
２１：セットａ
２２：セットｂ
２３：表示装置
２４：スタンド
２５：重心位置ａ
２６：表示装置
２７：スタンド
２８：重心位置ｂ
３１：支持部材
３２：ネジ穴
３３：ベースカバー
４１：支持底部
４２：表示装置支持部
４３：支持部材首部
４４：支持部材底部
４５：ネジ穴
４６：ネジ穴
５１：位置決め穴
５２：回り止め穴
６１：係合凸部
６２：係合凸部
【図１】
2010204393.tif 000003
【図２】
2010204393.tif 000004
【図３】
2010204393.tif 000005
【図４】
2010204393.tif 000006
【図５】
2010204393.tif 000007
【図６】
2010204393.tif 000008
【図７】
2010204393.tif 000009
【図８】
2010204393.tif 000010
【図９】
2010204393.tif 000011
【図１０】
2010204393.tif 000012